(57)【要約】  光源６００は、第１の色を有する第１の光を発するように構成された１つ又は複数の第１のＬＥＤ６１２、第２の色を有する第２の光を発するように構成された１つ又は複数の第２のＬＥＤ６１４、及び第３の色を有する第３の光を発するように構成された１つ又は複数の第３のＬＥＤ６１６を含む複数のＬＥＤ６１０と、第１の光、第２の光、及び第３の光を混合光へと混合するように構成された混合デバイス６２０であって、出射窓を通して混合デバイスから混合光が発せられるように構成された出射窓６４０を含む混合デバイスと、出射窓に設けられた光変換材料６３０であって、第１の光を第１の色からライム色へと変換するように構成された光変換材料とを含む。
2015528187.tif 000002
【特許請求の範囲】
【請求項１】
ＬＥＤベース光源を含む照明ユニットであって、前記ＬＥＤベース光源は、
少なくとも１つの白色ＬＥＤ、少なくとも１つの青色ＬＥＤ、及び少なくとも１つの赤色又は赤橙色ＬＥＤを含む複数のＬＥＤと、
前記複数のＬＥＤによって出力された光を混合する混合デバイスであって、前記混合デバイスから出射窓を通って混合光が発せられるように構成された当該出射窓を含む前記混合デバイスと、
前記少なくとも１つの白色ＬＥＤから発せられた光をライム色へと変換する前記出射窓に設けられた光変換材料とを含む、照明ユニット。
【請求項２】
前記光変換材料は、前記少なくとも１つの青色ＬＥＤからの光を青みを帯びた白色光へと変換する、請求項１に記載の照明ユニット。
【請求項３】
前記光変換材料は、ＬｕＡＧ蛍光体を含む、請求項１に記載の照明ユニット。
【請求項４】
前記ライム色は、５５０〜５８０ｎｍの波長のピーク出力を有する、請求項１に記載の照明ユニット。
【請求項５】
前記ライム色は、座標：０．４５６，０．５２４；０．３５４，０．６０５；０．３０８，０．４９４；及び０．４１３，０．４５１によって境界付けられるCIE1931色空間色度図の領域内に存在する、請求項１に記載の照明ユニット。
【請求項６】
前記ライム色は、座標：０．３５７，０．４９０；０．３９５，０．４７４；０．４２５，０．５２８；及び０．３９３，０．５６４によって境界付けられるCIE1931色空間色度図の領域内に存在する、請求項４に記載の照明ユニット。
【請求項７】
前記少なくとも１つの白色ＬＥＤから発せられる光は、中立の白色光である、請求項１に記載の照明ユニット。
【請求項８】
前記少なくとも１つの白色ＬＥＤから発せられる光は、温白色光である、請求項１に記載の照明ユニット。
【請求項９】
前記少なくとも１つの白色ＬＥＤから発せられる光は、オフホワイト色光である、請求項１に記載の照明ユニット。
【請求項１０】
前記光変換材料は、４０〜５５％の変換効率で、前記少なくとも１つの白色ＬＥＤから発せられた光をライム色へと変換する、請求項１に記載の照明ユニット。
【請求項１１】
前記少なくとも１つの白色ＬＥＤ、前記少なくとも１つの青色ＬＥＤ、及び前記少なくとも１つの赤色ＬＥＤに与えられる相対電流レベルを調節することによって前記ＬＥＤベース光源の相関色温度を調節する照明コントローラを更に含む、請求項１に記載の照明ユニット。
【請求項１２】
前記照明コントローラに接続されるユーザインターフェースであって、前記ＬＥＤベース光源の相関色温度を選択する為に１つ又は複数の信号を前記照明コントローラに与える前記ユーザインターフェースを更に含む、請求項１１に記載の照明ユニット。
【請求項１３】
第１の色を有する第１の光を発する１つ又は複数の第１のＬＥＤ、第２の色を有する第２の光を発する１つ又は複数の第２のＬＥＤ、及び第３の色を有する第３の光を発する１つ又は複数の第３のＬＥＤを含む複数のＬＥＤと、
前記第１の光、前記第２の光、及び前記第３の光を混合光へと混合する混合デバイスであって、前記混合デバイスから出射窓を通って混合光が発せられるように構成された当該出射窓を含む前記混合デバイスと、
前記第１の光を前記第１の色からライム色へと変換する前記出射窓に設けられた光変換材料とを含む、光源。
【請求項１４】
前記第１の色は白色であり、前記第２の色は青色であり、前記第３の色は赤色又は赤橙色である、請求項１３に記載の光源。
【請求項１５】
前記第１の光は、４６０ｎｍ未満の一次波長を有する青色光であり、前記第２の光は、４６０ｎｍを超える一次波長を有する青色又はシアン色光であり、前記光変換材料の変換効率は、前記第２の光の一次波長におけるよりも、前記第１の光の一次波長において大きい、請求項１３に記載の光源。
【請求項１６】
前記ライム色は、座標：０．４５６，０．５２４；０．３５４，０．６０５；０．３０８，０．４９４；及び０．４１３，０．４５１によって境界付けられるCIE1931色空間色度図の領域内に存在する、請求項１３に記載の光源。
【請求項１７】
前記光変換材料は、ＬｕＡＧ蛍光体を含む、請求項１３に記載の光源。
【請求項１８】
第１の色を有する第１の光を発する１つ又は複数の第１のＬＥＤの少なくとも１つの第１の群、第２の色を有する第２の光を発する１つ又は複数の第２のＬＥＤの少なくとも１つの第２の群、及び第３の色を有する第３の光を発する１つ又は複数の第３のＬＥＤの少なくとも１つの第３の群を含む複数のＬＥＤと、
前記第１のＬＥＤ群の発光経路に配置されたカバーと、
前記カバーに設けられた光変換材料であって、前記第１の光を前記第１の色からライム色へと変換する前記光変換材料と、
出射窓を有する混合デバイスであって、前記カバーから出力される変換された前記第１の光を受け取り、前記第２の光を受け取り、前記第３の光を受け取り、前記第１の光、前記第２の光、及び前記第３の光を混合し、前記出射窓から混合光を出力する前記混合デバイスとを含む、光源。
【請求項１９】
前記第１の色は青色であり、前記第２の色は青色又は青みを帯びた白色であり、前記第３の色は赤色又は赤橙色である、請求項１８に記載の光源。
【請求項２０】
前記光変換材料は、ＬｕＡＧ蛍光体を含む、請求項１８に記載の光源。
【発明の詳細な説明】
【技術分野】
【０００１】
[0001]  本発明は、概して、発光ダイオード（ＬＥＤ:light emitting diode）ベース光源に関し、特に、調整可能な相関色温度を提供可能なＬＥＤベース光源に関する。
【背景技術】
【０００２】
[0002]  発光ダイオード（ＬＥＤ）等の半導体光源に基づいた照明デバイスは、従来の蛍光灯、ＨＩＤランプ、及び白熱灯に代わる実行可能な代替案を提供する。ＬＥＤの機能的利点及び恩恵は、高いエネルギー変換及び光学効率、長い耐用年数、低い運転コスト、並びに他の多くのことを含む。
【０００３】
[0003]  時間に応じて、設置毎に、又は適用毎に変化し得る所望の特性を満たすように光源の相関色温度を広範囲に亘って調整することが可能なリモート制御される調整可能ＬＥＤベース白色光源に対する必要性が存在する。多くの場合、この様な調整可能白色光源は、原色を発する幾つかのＬＥＤ及び１つ又は複数の蛍光体変換ＬＥＤで作られ、これらのＬＥＤ全てからの光が結合されて、所望の白色光を生成する。赤色、緑色、青色及び白色デバイスが多くの場合使用される。他の白色光源では、赤色及び緑色ＬＥＤが、青みを帯びた白色（Cool-White）ＬＥＤ及びアンバー色又は蛍光体変換アンバー色（ＰＣＡ：phosphor-converted Amber）ＬＥＤと共に使用される。ここでは、リモート制御される調整可能ＬＥＤベース白色光源は、壁付調光器用の照明デバイスに含まれるＬＥＤベース白色光源を含む。
【０００４】
[0004]  本明細書では、赤色デバイス若しくは赤色ＬＥＤとしてデバイス又はＬＥＤに言及する場合には、このデバイス又はＬＥＤが赤色光を発することを意味する。同様に、青色デバイス又は青色ＬＥＤは、青色光を発するものであり、緑色デバイス又は緑色ＬＥＤは、緑色光を発するものであり、白色デバイス又は白色ＬＥＤは、白色光を発するものである等である。更に、「蛍光体変換ＬＥＤ」に言及する場合には、ＬＥＤ素子によって発せられた光の色を異なる色へと変換するか変える為の蛍光体材料層が上にコーティングされたＬＥＤ素子を意味する。
【０００５】
[0005]  しかしながら、これらの既知のリモート制御される調整可能ＬＥＤベース白色光源は、一般的に、一定相関色温度を有する白色光源よりもかなり低い効率を有するので、これらは、同じ光出力レベルを生成する為により多くのエネルギー及びより多くのＬＥＤ素子を必要とする。特に、リモート制御される調整可能ＬＥＤベース白色光源における緑色ＬＥＤの使用は、「標準的な」白色光源と比較して低下した効率を示す光源という結果になり得る。一般的に、緑色ＬＥＤは、青色ＬＥＤと比較して効率が低いが、緑色ＬＥＤは、それでもかなりの光を供給することができる。しかしながら、緑色ＬＥＤによって発せられた緑色光は、色三角において、目標（白）色からかなり遠いので、所望の白色を得る為に、緑色光と共にかなりの赤色光を混合する必要がある。更に、赤色ＬＥＤは、高温では非効率的となる。効率低下は、所望の光出力レベルを達成する為に、より効率的な光源で必要とされるよりも多くのＬＥＤが必要とされ、その結果、光源のコスト及びサイズが大幅に増加することも意味する。
【０００６】
[0006]  従って、効率的に動作可能であり比較的広い色温度範囲に亘って調整可能なリモート制御される調整可能相関色温度のＬＥＤベースの白色光源を提供することが望ましい。
【発明の概要】
【発明が解決しようとする課題】
【０００７】
[0007]  本開示は、リモート制御される調整可能相関色温度のＬＥＤベース白色光源を提供する為の発明の方法及び装置に関する。
【課題を解決するための手段】
【０００８】
[0008]  概して、一態様において、本発明は、ＬＥＤベース光源を含む照明ユニットに関し、このＬＥＤベース光源は、少なくとも１つの白色ＬＥＤ、少なくとも１つの青色ＬＥＤ、及び少なくとも１つの赤色ＬＥＤを含む複数の発光ダイオード（ＬＥＤ）と、複数のＬＥＤによって出力された光を混合するように構成された混合デバイスであって、混合デバイスから混合光が発せられるように構成された出射窓を含む混合デバイスと、出射窓に設けられた光変換材料であって、少なくとも１つの青色ＬＥＤから発せられた光を白色へと変換するように、少なくとも１つの白色ＬＥＤから発せられた光を更にライム色へと変換するように構成された光変換材料とを含む。
【０００９】
[0009]  ある実施形態では、光変換材料は、少なくとも１つの青色ＬＥＤからの光を青みを帯びた白色光へと変換するように構成される。
【００１０】
[0010]  光変換材料は、ＬｕＡＧ蛍光体を含む又はＬｕＡＧ蛍光体から実質的になっても良い。
【００１１】
[0011]  ある実施形態では、ライム色は、５５０〜５８０ｎｍの波長のピーク出力を有する。
【００１２】
[0012]  一部の実施形態では、ライム色は、座標：０．４５６，０．５２４；０．３５４，０．６０５；０．３０８，０．４９４；及び０．４１３，０．４５１によって境界付けられるCIE1931色空間色度図の領域内に存在する。この実施形態の１つの任意選択的特徴によれば、ライム色は、座標：０．３５７，０．４９０；０．３９５，０．４７４；０．４２５，０．５２８；及び０．３９３，０．５６４によって境界付けられるCIE1931色空間色度図の領域内に存在する。
【００１３】
[0013]  少なくとも１つの白色ＬＥＤから発せられる光は、昼白色若しくは中立の白色（neutral White）光、温白色光、又はオフホワイト色光でも良い。
【００１４】
[0014]  一部の実施形態では、光変換材料は、４０〜５５％の効率で、少なくとも１つの白色ＬＥＤから発せられた光をライム色へと変換する。
【００１５】
[0015]  一部の実施形態では、照明ユニットは、少なくとも１つの白色ＬＥＤ、少なくとも１つの青色ＬＥＤ、及び少なくとも１つの赤色ＬＥＤに与えられる相対電流レベルを調節することによってＬＥＤベース光源の相関色温度を調節するように構成された照明コントローラを更に含む。
【００１６】
[0016]  一部の実施形態では、照明ユニットは、照明コントローラに接続され、ＬＥＤベース光源の相関色温度を選択する為に１つ又は複数の信号を照明コントローラに与えるように構成されたユーザインターフェースを更に含む。
【００１７】
[0017]  他の実施形態では、照明ユニットは、少なくとも１つの白色ＬＥＤ、少なくとも１つの青色ＬＥＤ、及び少なくとも１つの赤色ＬＥＤに与えられる相対電流レベルを調節することによってＬＥＤベース光源の相関色温度を調節するように構成された照明コントローラを更に含む。
【００１８】
[0018]  概して、別の態様においては、本発明は、第１の色を有する第１の光を発するように構成された１つ又は複数の第１のＬＥＤ、第２の色を有する第２の光を発するように構成された１つ又は複数の第２のＬＥＤ、及び第３の色を有する第３の光を発するように構成された１つ又は複数の第３のＬＥＤを含む複数のＬＥＤと、第１の光、第２の光、及び第３の光を混合光へと混合するように構成された混合デバイスであって、出射窓を通して混合デバイスから混合光が発せられるように構成された出射窓を含む混合デバイスと、出射窓に設けられた光変換材料であって、第１の光を第１の色からライム色へと変換するように構成された光変換材料とを含む光源に関する。
【００１９】
[0019]  ある実施形態では、第１の色は白色であり、第２の色は青色であり、第３の色は赤色又は赤橙色である。
【００２０】
[0020]  ある実施形態では、第１の光は、４６０ｎｍ未満の一次波長を有する青色光であり、第２の光は、４６０ｎｍを超える一次波長を有する青色又はシアン色光であり、光変換材料の変換効率は、第２の光の一次波長におけるよりも、第１の光の一次波長において大きい。
【００２１】
[0021]  ある実施形態では、ライム色は、座標：０．４５６，０．５２４；０．３５４，０．６０５；０．３０８，０．４９４；及び０．４１３，０．４５１によって境界付けられるCIE1931色空間色度図の領域内に存在する。
【００２２】
[0022]  概して、また更に別の態様においては、本発明は、第１の色を有する第１の光を発するように構成された１つ又は複数の第１のＬＥＤの少なくとも１つの第１の群、第２の色を有する第２の光を発するように構成された１つ又は複数の第２のＬＥＤの少なくとも１つの第２の群、及び第３の色を有する第３の光を発するように構成された１つ又は複数の第３のＬＥＤの少なくとも１つの第３の群を含む複数のＬＥＤと、第１のＬＥＤ群の発光経路に配置されたカバーと、カバーに設けられた光変換材料であって、第１の光を第１の色からライム色へと変換するように構成された光変換材料と、出射窓を有する混合デバイスであって、カバーから出力された変換された第１の光を受け取るように、第２の光を受け取るように、及び第３の光を受け取るように、並びに第１の光、第２の光、及び第３の光を混合するように、並びに出射窓から混合光を出力するように構成された混合デバイスと、を含む光源に関する。
【００２３】
[0023]  ある実施形態では、第１の色は青色であり、第２の色は青色又は青みを帯びた白色であり、及び第３の色は赤色又は赤橙色である。
【００２４】
[0024]  光変換材料は、ＬｕＡＧ蛍光体を含んでも良く又はＬｕＡＧ蛍光体から実質的になっても良い。
【００２５】
[0025]  本開示の目的で本明細書において使用される場合、「ＬＥＤ」との用語は、任意のエレクトロルミネセンスダイオード、又は、電気信号に呼応して放射を発生できる、その他のタイプのキャリア注入／接合ベースシステム（carrier injection/junction-based system）を含むものと理解すべきである。したがって、ＬＥＤとの用語は、次に限定されないが、電流に呼応して発光する様々な半導体ベースの構造体、発光ポリマー、有機発光ダイオード（ＯＬＥＤ）、エレクトロルミネセンスストリップ等を含む。特に、ＬＥＤとの用語は、赤外スペクトル、紫外スペクトル、及び（通常、約４００ナノメートルから約７００ナノメートルまでの放射波長を含む）可視スペクトルの様々な部分のうちの１つ又は複数における放射を発生させることができるすべてのタイプの発光ダイオード（半導体及び有機発光ダイオードを含む）を指す。ＬＥＤの幾つかの例としては、次に限定されないが、様々なタイプの赤外線ＬＥＤ、紫外線ＬＥＤ、赤色ＬＥＤ、青色ＬＥＤ、緑色ＬＥＤ、黄色ＬＥＤ、アンバー色ＬＥＤ、橙色ＬＥＤ、及び白色ＬＥＤ（以下に詳しく述べる）がある。また、ＬＥＤは、所与のスペクトルに対して様々な帯域幅（例えば半波高全幅値（ＦＷＨＭ：full widths at half maximum））、及び所与の一般的な色分類内で様々な支配的波長を有する放射（例えば狭帯域幅、広帯域幅）を発生させるように構成及び／又は制御することができることを理解すべきである。
【００２６】
[0026]  例えば本質的に白色光を生成するＬＥＤ（例えば白色ＬＥＤ）の一実施態様は、それぞれ、組み合わされることで混合して本質的に白色光を形成する様々なスペクトルのエレクトロルミネセンスを放射する複数のダイを含む。別の実施態様では、白色光ＬＥＤは、第１のスペクトルを有するエレクトロルミネセンスを異なる第２のスペクトルに変換する蛍光体材料に関連付けられる。この実施態様の一例では、比較的短波長で狭帯域幅スペクトルを有するエレクトロルミネセンスが、蛍光体材料を「ポンピング（pumps）」して、当該蛍光体材料は、いくぶん広いスペクトルを有する長波長放射を放射する。
【００２７】
[0027]  なお、ＬＥＤとの用語は、ＬＥＤの物理的及び／又は電気的なパッケージタイプを限定しないことを理解すべきである。例えば、上述した通り、ＬＥＤは、（例えば個々に制御可能であるか又は制御不能である）異なるスペクトルの放射をそれぞれ放射する複数のダイを有する単一の発光デバイスを指すこともある。また、ＬＥＤは、ＬＥＤ（例えばあるタイプの白色ＬＥＤ）の一体部分と見なされる蛍光体に関連付けられることもある。一般に、ＬＥＤとの用語は、パッケージＬＥＤ、非パッケージＬＥＤ、表面実装ＬＥＤ、チップ・オン・ボードＬＥＤ、ＴパッケージマウントＬＥＤ、ラジアルパッケージＬＥＤ、パワーパッケージＬＥＤ、あるタイプのケーシング及び／又は光学的要素（例えば拡散レンズ）を含むＬＥＤ等を指す。
【００２８】
[0028]  「光源」との用語は、次に限定されないが、ＬＥＤベース光源（上記に定義した１つ以上のＬＥＤを含む）、白熱光源（例えばフィラメント電灯、ハロゲン電灯）、蛍光光源、りん光性光源、高輝度放電光源（例えばナトリウム蒸気ランプ、水銀蒸気ランプ及びメタルハライドランプ）、レーザー、その他のタイプのエレクトロルミネセンス源、パイロルミネセンス源（例えば火炎）、キャンドルルミネセンス源（例えばガスマントル光源、カーボンアーク放射光源）、フォトルミネセンス源（例えばガス状放電光源）、電子飽和（electronic satiation）を使用する陰極発光源（cathode luminescent source）、ガルバノルミネセンス源、結晶発光（crystallo-luminescent）源、キネルミネセンス（kine-luminescent）源、熱ルミネセンス源、摩擦ルミネセンス（triboluminescent）源、音ルミネセンス（sonoluminescent）源、放射ルミネセンス（radioluminescent）源、及び発光ポリマー（luminescent polymers）を含む、様々な放射源のうちの任意の１つ以上を指すと理解すべきである。
【００２９】
[0029]  所与の光源は、可視スペクトル内、可視スペクトル外、又は両者の組合せでの電磁放射を発生する。したがって、「光」及び「放射」との用語は、本明細書では同義で使用される。さらに、光源は、一体構成要素として、１つ以上のフィルタ（例えばカラーフィルタ）、レンズ、又はその他の光学的構成要素を含んでもよい。また、光源は、次に限定されないが、指示、表示、及び／又は照明を含む様々な用途に対し構成されることを理解すべきである。「照明源」とは、内部空間又は外部空間を効果的に照射するのに十分な強度を有する放射を発生するように特に構成された光源である。このコンテキストにおいて、「十分な強度」とは、周囲照明（すなわち、間接的に知覚され、また、例えば、全体的に又は部分的に知覚される前に１つ以上の様々な介在面から反射される光）を提供するために空間又は環境において発生される可視スペクトルにおける十分な放射強度（放射強度又は「光束」に関して、全方向における光源からの全光出力を表すために、単位「ルーメン」がよく使用される）を指す。
【００３０】
[0030]  「スペクトル」との用語は、１つ以上の光源によって生成された放射の任意の１つ以上の周波数（又は波長）を指すものと理解すべきである。したがって、「スペクトル」との用語は、可視範囲内の周波数（又は波長）のみならず、赤外線、紫外線、及び電磁スペクトル全体の他の領域の周波数（又は波長）も指す。さらに、所与のスペクトルは、比較的狭い帯域幅（例えば、ＦＷＨＭは、基本的に、周波数又は波長成分をほとんど有さない）、又は、比較的広い帯域幅（様々な相対強度を有する幾つかの周波数又は波長成分）を有してよい。当然のことながら、所与のスペクトルは、２つ以上の他のスペクトルを混合（例えば、複数の光源からそれぞれ放射された放射を混合）した結果であってよい。
【００３１】
[0031]  本開示の目的で、「色」との用語は、「スペクトル」との用語と同義に使用される。しかし、「色」との用語は、通常、観察者によって知覚可能である放射の特性を主に指すために使用される（ただし、この使用は、当該用語の範囲を限定することを意図していない）。したがって、「様々な色」との用語は、様々な波長成分及び／又は帯域幅を有する複数のスペクトルを暗に指す。さらに、当然のことながら、「色」との用語は、白色光及び非白色光の両方との関連で使用されてもよい。
【００３２】
[0032]  「色温度」との用語は、本明細書では、通常、白色光に関連して使用されるが、その使用は、当該用語の範囲を限定することを意図していない。色温度は、基本的に、白色光の特定の色内容又は陰（例えば、赤みを帯びた、青みを帯びた）を指す。所与の放射サンプルの色温度は、従来から、問題とされている放射サンプルと同じスペクトルを基本的に放射する黒体放射体のケルビン度数（Ｋ）の温度に応じて特徴付けられている。黒体放射体の色温度は、通常、約７００度Ｋ（通常、人間の目に最初に可視となると考えられている）から１０，０００度Ｋ超の範囲内であり、白色光は、通常、約１５００〜２０００度Ｋより高い色温度において知覚される。
【００３３】
[0033]  低色温度は、通常、より顕著な赤色成分、すなわち、「温かい印象」を有する白色光を示す一方で、高色温度は、通常、より顕著な青色成分、すなわち、「冷たい印象」を有する白色光を示す。一例として、炎は約１，８００度Ｋの色温度を有し、従来の白熱電球は約２８４８度Ｋの色温度を有し、早朝の日光は約３，０００度Ｋの色温度を有し、曇った日の真昼の空は約１０，０００度Ｋの色温度を有する。約３，０００度Ｋの色温度を有する白色光の下で見られたカラー画像は、比較的赤みの帯びた色調を有する一方で、約１０，０００度Ｋの色温度を有する白色光の下で見られたカラー画像は、比較的青みの帯びた色調を有する。
【００３４】
[0034]  「照明ユニット」との用語は、本明細書では、同じ又は異なるタイプの１つ以上の光源を含む装置を指して使用される。所与の照明ユニットは、様々な光源の取付け配置、筐体／ハウジング配置及び形状、並びに／又は、電気及び機械的接続構成の何れか１つを有してもよい。さらに、所与の照明ユニットは、光源の動作に関連する様々な他の構成要素（例えば制御回路）に任意選択的に関連付けられてもよい（例えば含む、結合される、及び／又は一緒にパッケージされる）。「ＬＥＤベースの照明ユニット」とは、上記した１つ以上のＬＥＤベースの光源を、単独で又はその他の非ＬＥＤベースの光源との組合せで含む照明ユニットを指す。「マルチチャネル」照明ユニットとは、それぞれ異なる放射スペクトルを発生する少なくとも２つの光源を含むＬＥＤベースの又は非ＬＥＤベースの照明ユニットを指すものであり、各異なる光源スペクトルは、マルチチャネル照明ユニットの「チャネル」と呼ばれる。
【００３５】
[0035]  「コントローラ」との用語は、本明細書では、一般に、１つ以上の光源の動作に関連する様々な装置を説明するために使用される。コントローラは、本明細書で説明した様々な機能を実行するように、数多くの方法（例えば専用ハードウエアを用いて）で実施できる。「プロセッサ」は、本明細書で説明した様々な機能を実行するように、ソフトウエア（例えばマイクロコード）を使用してプログラムすることのできる１つ以上のマイクロプロセッサを使用するコントローラの一例である。コントローラは、プロセッサを使用してもしなくても実施でき、また、幾つかの機能を実行する専用ハードウエアと、その他の機能を実行するプロセッサ（例えばプログラムされた１つ以上のマイクロプロセッサ及び関連回路）の組み合わせとして実施されてもよい。本開示の様々な実施態様において使用されてもよいコントローラ構成要素の例としては、次に限定されないが、従来のマイクロプロセッサ、特定用途向けＩＣ（ＡＳＩＣ）、及びフィールドプログラマブルゲートアレイ（ＦＰＧＡ）がある。
【００３６】
[0036]  様々な実施態様において、プロセッサ又はコントローラは、１つ以上の記憶媒体（本明細書では総称的に「メモリ」と呼び、例えばＲＡＭ、ＰＲＯＭ、ＥＰＲＯＭ及びＥＥＰＲＯＭ、フロッピー（登録商標）ディスク、コンパクトディスク、光学ディスク、磁気テープ等の揮発性及び不揮発性のコンピュータメモリ）と関連付けられる。幾つかの実施態様において、記憶媒体は、１つ以上のプロセッサ及び／又はコントローラ上で実行されると、本明細書で説明した機能の少なくとも幾つかを実行する１つ以上のプログラムによって、コード化されてもよい。様々な記憶媒体は、プロセッサ又はコントローラ内に固定されてもよいし、又は、その上に記憶された１つ以上のプログラムが、本明細書で説明した本発明の様々な態様を実施するように、プロセッサ又はコントローラにロードされるように可搬型であってもよい。「プログラム」又は「コンピュータプログラム」との用語は、本明細書では、一般的な意味で、１つ以上のプロセッサ又はコントローラをプログラムするように使用できる任意のタイプのコンピュータコード（例えばソフトウエア又はマイクロコード）を指して使用される。
【００３７】
[0037]  「アドレス可能」との用語は、本明細書では、自分自身を含む複数のデバイスに向けた情報（例えばデータ）を受信して、自分自身に向けられた特定の情報に選択的に応答するデバイス（例えば、光源全般、照明ユニット又は固定具、１つ以上の光源若しくは照明ユニットに関連付けられたコントローラ又はプロセッサ、他の非照明関連デバイス等）を指すために使用される。「アドレス可能」との用語は、多くの場合、ネットワークで結ばれた環境（すなわち、以下に詳細に説明される「ネットワーク」）に関連して使用され、ネットワークで結ばれた環境では、複数のデバイスが何らかの１つ以上の通信媒体を介して互いに結合されている。
【００３８】
[0038]  １つのネットワーク実施態様では、ネットワークに結合された１つ以上のデバイスが、当該ネットワークに結合された１つ以上の他のデバイスのコントローラとしての機能を果たす（例えばマスタ／スレーブ関係において）。別の実施態様では、ネットワークで結ばれた環境は、当該ネットワークに結合されたデバイスのうちの１つ以上を制御する１つ以上の専用コントローラを含む。通常、ネットワークに結合された複数のデバイスは、それぞれ、１つ以上の通信媒体上にあるデータへのアクセスを有するが、所与のデバイスは、例えば、当該デバイスに割り当てられた１つ以上の特定の識別子（例えば「アドレス」）に基づいて、ネットワークとデータを選択的に交換する（すなわち、ネットワークからデータを受信する及び／又はネットワークにデータを送信する）点で、「アドレス可能」である。
【００３９】
[0039]  「ネットワーク」との用語は、本明細書において使用される場合、（コントローラ又はプロセッサを含む）任意の２つ以上のデバイス間及び／又はネットワークに結合された複数のデバイス間での（例えばデバイス制御、データ記憶、データ交換等のための）情報の転送を容易にする２つ以上のデバイスの任意の相互接続を指す。容易に理解されるように、複数のデバイスを相互接続するのに適したネットワークの様々な実施態様は、様々なネットワークトポロジのうちの何れかを含み、様々な通信プロトコルのうちの何れかを使用することができる。さらに、本開示による様々なネットワークにおいて、２つのデバイス間の接続はいずれも、２つのシステム間の専用接続を表わすか、又は、これに代えて非専用接続を表わしてもよい。２つのデバイス用の情報を担持することに加えて、当該非専用接続（例えばオープンネットワーク接続）は、必ずしも２つのデバイス用ではない情報を担持することがある。さらに、容易に理解されるように、本明細書で説明されたデバイスの様々なネットワークは、ネットワーク全体に亘る情報の転送を容易にするために、１つ以上のワイヤレス、ワイヤ／ケーブル、及び／又は光ファイバリンクのリンクを使用できる。
【００４０】
[0040]  「ユーザインターフェース」との用語は、本明細書において使用される場合、人間であるユーザ又はオペレータと、当該ユーザとデバイス間の通信を可能にする１つ以上のデバイスとの間のインターフェースを指す。本開示の様々な実施態様に使用されてもよいユーザインターフェースの例は、次に限定されないが、スイッチ、電位差計、ボタン、ダイアル、スライダ、マウス、キーボード、キーパッド、様々なタイプのゲームコントローラ（例えばジョイスティック）、トラックボール、ディスプレイスクリーン、様々なタイプのグラフィカルユーザインターフェース（ＧＵＩ）、タッチスクリーン、マイクロホン、及び、人間が生成した何らかの形の刺激を受信し、それに応答して信号を生成する他のタイプのセンサを含む。
【００４１】
[0041]  なお、前述の概念及び以下でより詳しく説明する追加の概念のあらゆる組み合わせ（これらの概念が互いに矛盾しないものであることを条件とする）は、本明細書で開示される本発明の主題の一部をなすものと考えられることを理解すべきである。特に、本開示の終わりに登場するクレームされる主題のあらゆる組み合わせは、本明細書に開示される本発明の主題の一部であると考えられる。なお、参照により組み込まれる任意の開示内容にも登場する、本明細書にて明示的に使用される用語には、本明細書に開示される特定の概念と最も整合性のある意味が与えられるべきであることを理解すべきである。
【００４２】
[0042]  図面では、同様の参照符号は、概して、異なる図面を通して同じ部分を指す。また、図面は、必ずしも正確な縮尺ではなく、代わりに本発明の原理を示すことに概して重点が置かれている。
【図面の簡単な説明】
【００４３】
【図１】[0043]  様々な温度の黒体光源の色度（黒体軌跡）及び等相関色温度線も示すCIE1931色空間色度図を示す。
【図２】[0044]  調整可能色温度を有する白色光を提供する為に調整可能相関色温度のＬＥＤベース白色光源によって用いられ得る色成分をCIE1931色空間に示す。
【図３】[0045]  調整可能相関色温度のＬＥＤベース白色光源のライム色成分として用いられ得る色の範囲をCIE1931色空間に示す。
【図４】[0046]  ライム色への色変換を用いるＬＥＤベース白色光源の色成分をCIE1931に示す。
【図５】[0047]  調整可能色温度を有する白色光を提供する為に調整可能相関色温度のＬＥＤベース白色光源の一実施形態によって用いられ得る色成分をCIE1931色空間に示す。
【図６】[0048]  調整可能相関色温度のＬＥＤベース光源の一実施形態例を示す。
【図７】[0049]  調整可能相関色温度のＬＥＤベース光源の一実施形態例を含む照明ユニットのブロック図である。
【図８】[0050]  第１の色温度に調整された場合の調整可能相関色温度のＬＥＤベース光源の一実施形態例によって出力され得る光のスペクトル例を示す。
【図９】[0051]  第２の色温度に調整された場合の調整可能相関色温度のＬＥＤベース光源の実施形態例によって出力され得る光のスペクトル例を示す。
【図１０】[0052]  調整可能相関色温度のＬＥＤベース光源の一実施形態例に関する演色評価数（ＣＲＩ：color rendering index）及び赤色演色評価数Ｒ９を相関色温度の関数として示す。
【図１１】[0053]  調整可能相関色温度のＬＥＤベース光源の一実施形態例において、異なる色のＬＥＤの相対的寄与を相関色温度の関数として示す。
【発明を実施するための形態】
【００４４】
[0054]  上述の通り、既知のリモート制御される調整可能ＬＥＤベース白色光源は、一般的に、一定相関色温度を有する白色光源よりもかなり低い効率を有するので、これらは、同じ光出力レベルを生成する為により多くのエネルギーを必要とする。そして特に、リモート制御される調整可能ＬＥＤベース白色光源における緑色ＬＥＤの使用は、「標準的な」白色光源と比較して低下した効率を示す光源という結果になり得る。
【００４５】
[0055]  従って、出願人らは、効率的に動作可能で、その色を比較的広い色温度範囲に亘って調整又は調節することができる光を出力可能なリモート制御される調整可能相関色温度のＬＥＤベース白色光源を提供することが有益であることを認識及び理解した。
【００４６】
[0056]  上記に鑑みて、本発明の様々な実施形態及び実施は、ライム色成分を含む３つの選択された色の光成分を混合するリモート制御される調整可能相関色温度のＬＥＤベース白色光源及びこのリモート制御される調整可能相関色温度のＬＥＤベース白色光源を含む照明ユニットに関する。
【００４７】
[0057]  図１は、様々な温度の黒体光源の色度（黒体軌跡）及び等相関色温度線も示すCIE1931色空間色度図を示す。一般的に、高い色温度を有する光は、青みを帯びた白色光であると見なされ、低い色温度を有する光は、温白色光であると見なされ、青みを帯びた白色光と温白色光との間の色温度を有する光は、中立の白色光であると見なされ得る。オフホワイト光は、中立の白色光の近くであるが、図１に示される黒体線から上部に少し離れて位置付けられる色温度を有する光であると見なされ得る。
【００４８】
[0058]  本特許出願の目的の為に、温白色光は、座標が以下の表１に示される頂点によって境界付けられる領域内に色が存在する光として定義され、昼白色光は、座標が以下の表２に示される頂点によって境界付けられる領域内に色が存在する光として定義され、オフホワイト光は、座標が以下の表３に示される頂点によって境界付けられる領域内に色が存在する光として定義される。
【００４９】
【表１】
2015528187.tif 000003
【００５０】
【表２】
2015528187.tif 000004
【００５１】
【表３】
2015528187.tif 000005
【００５２】
[0059]  一般的に、例えば２０００Ｋ〜６５００Ｋ又は更に広く及ぶ範囲に亘って調整可能な、広い調整可能相関色温度範囲を有した白色光源を提供することが望ましい。
【００５３】
[0060]  出願人らは、広い調整可能相関色温度範囲を有する白色光源を、３つの特定の色成分を有する光を様々な比率で混合することによって達成することができることを発見した。より具体的には、出願人らは、その様な白色光源を、青色光、赤橙色光及びライム色光を用いることによって達成することができることを発見した。
【００５４】
[0061]  図２は、調整可能色温度を有する白色光を提供する為に調整可能相関色温度のＬＥＤベース白色光源によって用いられ得る３つの色成分をCIE1931色空間に示す。具体的には、図２は、青色成分、赤橙色成分、及びライム色成分を様々な比率で用いることによって生成することのできる白色光の調整可能範囲を示す。青色、ライム色、及び赤橙色（又は赤色）成分の組み合わせは、比較的高い効率、良い演色評価数（ＣＲＩ：color rendering index）、及び広い色三角（従って広い色温度調整範囲）を有する調整可能白色光源を生み出すことができる。
【００５５】
[0062]  図２から分かる通り、青色成分からの色三角上の頂点は、調整可能色温度範囲に過度な損失無く若干内側へ移動させることができる。従って、一部の実施形態において用いられ得る代替構成は、青みを帯びた白色、ライム色、及び赤橙色（又は赤色）成分の組み合わせである。
【００５６】
[0063]  一般的に、ライム色成分は、５５０ｎｍ〜５８０ｎｍの範囲の波長のピーク出力を有する光、特に５６０ｎｍで又はその付近で高飽和状態にされる光であると見なされ得る。
【００５７】
[0064]  有益には、ライム色光成分は、座標が以下の表４に示される頂点によって境界付けられる領域内に色が存在する光である。
【００５８】
【表４】
2015528187.tif 000006
【００５９】
[0065]  更に一層有益には、ライム色光成分は、座標が以下の表５に示される頂点によって境界付けられる領域内に色が存在する光である。
【００６０】
【表５】
2015528187.tif 000007
【００６１】
[0066]  図３は、調整可能相関色温度のＬＥＤベース白色光源のライム色成分として用いられ得る色の範囲をCIE1931色空間に示す。具体的には、図３は、CIE1931色空間上に、上記の表４及び表５によって定義された領域の座標をプロットしている。
【００６２】
[0067]  しかしながら、現時点では、ライム色ＬＥＤは、広く及び容易に入手可能ではない。また、近い将来ライム色ＬＥＤが広く及び容易に入手可能となるかどうかは未知である。更に、たとえライム色ＬＥＤが広く及び容易に入手可能となるとしても、それらが、割増価格を設定する特殊コンポーネントとなり得る可能性がある。ライム色成分を生成する為に低コスト及び広く入手可能なコンポーネントを使用することが望ましい。
【００６３】
[0068]  従って、出願人らは、ライム色ＬＥＤの必要無く、ＬＥＤベース白色光源においてライム色成分を提供することが望ましいと判断した。
【００６４】
[0069]  ＬＥＤベース白色光源を製造する為の１つの選択肢は、１つ又は複数の青色ＬＥＤ及び１つ又は複数の赤色ＬＥＤからの光を、青色光からライム光へと変換する色変換素子を含む混合キャビティ又はチャンバ等の混合デバイスにおいて結合させることである。図４は、色変換を用いるＬＥＤベース白色光源の色成分をCIE1931に示す。具体的には、図４は、１つ又は複数の赤色又は赤橙色ＬＥＤによって生成され得る赤色又は赤橙色成分、及び１つ又は複数の青色ＬＥＤによって生成され得る青色成分を含む構成を示す。ここで及び特許請求の範囲では、青色ＬＥＤは、商業的に「青色」と一般的に呼ばれ、４６０〜４９０ｎｍの主波長を有するＬＥＤ、及び商業的に「ロイヤルブルー」又は「ディープブルー」と一般的に呼ばれ、４４０ｎｍ〜４６０ｎｍの範囲のピーク波長を有するＬＥＤを含むものと定義されることが理解される。
【００６５】
[0070]  図４に示される通り、青色成分は、光変換材料によってライム色成分へと変換される。ライム色成分は、青色ＬＥＤ上部にリモート蛍光体を配置することによって、例えば、赤色（又は赤橙色）ＬＥＤからの赤色（又は赤橙色）光及び青色ＬＥＤからの青色光が混合される混合チャンバをコーティングすることによって生成することができる。リモート蛍光体は、青色光をライム色光へと変換する。但し、この構成においては、色温度の調整能力は失われる。
【００６６】
[0071]  図５は、所望の範囲に亘って調整可能色温度を有する白色光を提供する為に調整可能相関色温度のＬＥＤベース白色光源の一実施形態によって用いられ得る色成分をCIE1931色空間に示す。具体的には、図５は、どの様に、白色成分をライム色に変換することができるか及び青色成分が低飽和青色、比較的青みを帯びた白色又は青みを帯びたオフホワイト色に変換され、それによって、赤色又は赤橙色成分との組み合わせで、所望の範囲に亘って調整可能な色温度を有する白色光を生成することができるかを示す。例えば、白色成分、青色成分及び赤色又は赤橙色成分は全て、白色及び青色成分のこの色変換を行えるように中程度の変換効率を持つ半透明リモート蛍光体を通過させられても良い。リモート蛍光体は、赤色（又は赤橙色）光を全く又はほとんど変換しない場合がある。有益には、この構成は、たった３つの異なる色成分を用いながら、所望の範囲に亘って調整可能色温度を有する白色光を提供することができる。
【００６７】
[0072]  図６は、図５に示された色成分を用い得る調整可能相関色温度のＬＥＤベース光源６００の一実施形態例を示す。光源６００は、基板若しくはキャリア６１５上に搭載された複数のＬＥＤ６１０及び光変換材料６３０が設けられる光出射窓６４０を有する混合チャンバ又はキャビティ６２０を含む。
【００６８】
[0073]  ＬＥＤ６１０は、第１の色を有する第１の光を発するように構成された１つ又は複数の第１のＬＥＤ６１２、第２の色を有する第２の光を発するように構成された１つ又は複数の第２のＬＥＤ６１４、及び第３の色を有する第３の光を発するように構成された１つ又は複数の第３のＬＥＤ６１６を含む。有益には、第１のＬＥＤ６１２、第２のＬＥＤ６１４、及び第３のＬＥＤ６１６は、第１の光、第２の光、及び第３の光の相対比率をＬＥＤベース光源６００によって生成される白色光の色温度が異なるように調節することができる様に個々に指定可能又は制御可能である。
【００６９】
[0074]  混合チャンバ６２０は、第１の光、第２の光、及び第３の光を混合し、光出射窓６４０を通して混合光を出力する。混合チャンバ６２０の他に、他のタイプの混合デバイスが用いられても良い。
【００７０】
[0075]  光変換材料６３０は、混合チャンバ６２０の光出射窓６４０に設けられた半透明リモート蛍光体又はリン材料を含み得る。一部の実施形態では、光変換材料６３０は、混合チャンバ６２０の光出射窓６４０上のコーティングとして設けられても良い。他の実施形態では、光変換材料６３０は、混合チャンバ６２０の光出射窓６４０を形成する材料内に組み込まれても良く、例えば材料のマトリクス内に組み込まれても良い。光変換材料６３０は、第１の光をライム色光へと変換する。
【００７１】
[0076]  一部の実施形態では、第１のＬＥＤ６１２は白色ＬＥＤであり、第２のＬＥＤ６１４は、青色又はシアン色ＬＥＤであり、第３のＬＥＤ６１６は、赤色又は赤橙色ＬＥＤである。第１のＬＥＤ６１２は、上記に定義された様な温白色ＬＥＤ、中立の白色ＬＥＤ、又はオフホワイトＬＥＤを含み得る。しかしながら、一般的に、色温度が６０００°Ｋを超える（例えば７０００°Ｋ）青みを帯びた白色ＬＥＤは、温白色ＬＥＤ、中立の白色ＬＥＤ、又はオフホワイトＬＥＤよりも高い効率を有する。従って、第１のＬＥＤ６１２は、代わりに、青みを帯びた白光ＬＥＤを含んでも良い。これは、効率の向上を提供し得るが、低い色温度における調整範囲の幾分の損失を伴う可能性がある。
【００７２】
[0077]  光変換層６３０は、白色光をライム色へと変換することができ、青色光を低飽和青色又は比較的青みを帯びたオフホワイト色へと変換することができる。光変換材料６３０は、第３のＬＥＤ６１６の赤色（又は赤橙色）光を全く又はほとんど変換しない場合がある。具体的には、光変換材料６３０は、例えば、第１のＬＥＤ６１２からの白色光の青色成分及び第２のＬＥＤ６１４からの青色光の主又は一次波長の差により、第２のＬＥＤ６１４からの青色光を変換するよりも高い効率で、第１のＬＥＤ６１２からの白色光の青色成分をライム色光へと変換することができる。例えば、第１のＬＥＤ６１２からの白色光は、光変換材料６３０がより高い変換効率を有する４４０ｎｍ又はその付近の波長を有する青色成分を有することができ、第２のＬＥＤ６１４からの青色光は、光変換材料６３０がより低い変換効率を有する４８０ｎｍの一次又は主波長を有することができる。有益には、光変換材料６３０は、白色光をライム色光へと変換する為に、例えば４０〜６５％の中程度の変換効率を有する。ある実施形態例では、変換効率は、５５％でも良い。ある実施形態では、光変換材料は、ＬｕＡＧを含む。青みを帯びた白色ＬＥＤが、中立の白色、温白色、又はオフホワイト色ＬＥＤの代わりに使用される場合、光変換材料６３０の変換効率は、２０％まで低くても良い。
【００７３】
[0078]  他の実施形態では、第１のＬＥＤ６１２は、第１の主又は一次波長を有する第１の光を発する青色ＬＥＤであり、第２のＬＥＤは、第２の主又は一次波長を有する第２の光を発する青色ＬＥＤであり、第３のＬＥＤは、赤色又は赤橙色ＬＥＤである。具体的には、第１のＬＥＤ６１２は、４６０ｎｍ未満（例えば４４５ｎｍ）の一次波長を有する青色光を発することができ、第２のＬＥＤは、４６０ｎｍを超える（例えば４６５ｎｍ又は４８０ｎｍ）一次波長を有する青色又はシアン色光を発することができ、光変換材料６３０は、第２のＬＥＤ６１４によって発せられる第２の光の一次波長においてよりも、第１のＬＥＤ６１２によって発せられる第１の光の一次波長においてより高い変換効率を有し得る。
【００７４】
[0079]  上記の構造の結果、ＬＥＤベース光源６００は、３つの個々に指定可能な色：ライム色、青色又は青みを帯びたオフホワイト色、及び赤色又は赤橙色を提供することができ、これらの各々の相対レベルは、ＬＥＤベース光源６００に所望の強度及び色温度を有する白色光を放たせるように調整することができる。
【００７５】
[0080]  有益には、ＬＥＤベース光源６００は、たった３つの異なる色のＬＥＤを用いながら、所望の範囲に亘って調整可能な色温度を有する白色光を提供することができ、これは、ＬＥＤベース光源６００のコスト及び複雑性を低下させ得る。
【００７６】
[0081]  図７は、照明ユニット７００のブロック図である。照明ユニット７００は、調整可能相関色温度のＬＥＤベース光源６００、照明コントローラ７２０、及びユーザインターフェース７３０を含む。
【００７７】
[0082]  調整可能相関色温度のＬＥＤベース光源６００は、図７に示され、図６に関して上述した様な第１のＬＥＤ６１２、第２のＬＥＤ６１４、及び第３のＬＥＤ６１６、並びに図示を簡単にする為に図７では示されない混合デバイス６２０及び光変換材料６３０を含む。
【００７８】
[0083]  照明コントローラ７２０は、ＬＥＤベース光源６００によって出力される光の強度及び色温度を調節又は制御する為に、駆動又は制御信号７２２、７２４、及び７２６を第１のＬＥＤ６１２、第２のＬＥＤ６１４、及び第３のＬＥＤ６１６へとそれぞれ供給する。具体的には、照明コントローラ７２０は、ＬＥＤベース光源６００によって出力される光に関してユーザによって選択された１つ又は複数の特性（例えば強度及び／又は色温度）を示す、ユーザインターフェース７３０によって生成された１つ又は複数の制御信号を受信し得る。これに応答して、照明コントローラ７２０は、ＬＥＤベース光源６００に選択された特性を有する光を放たせるように供給される適切な駆動又は制御信号７２２、７２４、及び７２６を決定する。
【００７９】
[0084]  ユーザインターフェース７３０は、ディスプレイスクリーン、タッチスクリーン、マウス、キーボード、タッチパッド、１つ若しくは複数のスライダコントロール、１つ若しくは複数のつまみ、並びに／又は例えばＬＥＤベース光源６００によって出力される光の強度及び色点を含むＬＥＤベース光源６００によって出力される光の１つ若しくは複数のパラメータをユーザが選択することを可能にする他のデバイスを含み得る。ユーザインターフェース７３０は、照明ユニット７００のメモリデバイスに保存され、照明ユニット７００のマイクロプロセッサによって制御される１つ又は複数のソフトウェアルーティンと共に動作し得る。
【００８０】
[0085]  一部の実施形態では、ＬＥＤベース光源６００は、照明ネットワーク内に含まれても良い。これらの実施形態では、照明コントローラ７２０は、例えば照明コントローラ７２０と光源との間のネットワーク接続を用いて、ＬＥＤベース光源６００に加えて１つ又は複数の他の照明デバイスを制御しても良い。
【００８１】
[0086]  図８は、第１の色温度に調整された場合の調整可能相関色温度のＬＥＤベース光源の一実施形態例によって出力され得る光のスペクトル例を示す。
【００８２】
[0087]  具体的には、図８は、３つのＬＥＤタイプ：青みを帯びた白色ＬＥＤ（ＣＣＴ約５５００Ｋ）、青色ＬＥＤ、及び赤色ＬＥＤから成るＬＥＤベース光源６００によって生成され得るスペクトル例を示す。この例では、青色ＬＥＤは、４５０ｎｍの一次又は主波長を有し、青みを帯びた白色ＬＥＤは、蛍光体変換ＬＥＤであり、このＬＥＤは、４５０ｎｍの一次又は主波長を有し、ＹＡＧ蛍光体によって青みを帯びた白色光へと変換される。これらのＬＥＤ上部に、例えばＬｕＡＧ蛍光体を含むリモート蛍光体成分が配置される。図８は、青色ＬＥＤ及び赤色ＬＥＤのみが駆動された場合にこの構成によって生成され得る１２０００ＫのＣＣＴ（黒体上で）に対応するスペクトル例を示す。
【００８３】
[0088]  図９は、２２００Ｋの第２の色温度（黒体上で）に調整された場合の上記の構造を有する調整可能相関色温度のＬＥＤベース光源によって出力され得る光のスペクトル例を示し、これは、青みを帯びた白色ＬＥＤ及び赤色ＬＥＤのみが駆動された場合にこの構成によって生成され得る。
【００８４】
[0089]  図１０及び図１１は、２２００Ｋ〜１２０００Ｋ間の全ての相関色温度（ＣＣＴ）が上記の構造を有する実施形態例によって生成され得ることを示す。図１０は、ＣＣＴの関数として演色評価数（ＣＲＩ）及び赤色演色評価数Ｒ９を示し、図１１は、ＣＣＴの関数として、異なる色のＬＥＤの相対的寄与を示す。
【００８５】
[0090]  図１２は、調整可能相関色温度のＬＥＤベース光源１２００の別の実施形態例を示す。光源１２００は、基板又はキャリア１２１５上に搭載された複数のＬＥＤ１２１０、光出射窓１２４０を有する混合チャンバ又はキャビティ１２２０、及び光変換材料１２３０が設けられるカバー部材１２５０を含み、光変換材料１２３０は、例えば、カバー部材１２５０上にコーティングされてもカバー部材１２５０を形成する材料に組み込まれても良い。
【００８６】
[0091]  ＬＥＤ１２１０は、第１の色を有する第１の光を発するように構成された１つ又は複数の第１のＬＥＤ１２１２、第２の色を有する第２の光を発するように構成された１つ又は複数の第２のＬＥＤ１２１４、及び第３の色を有する第３の光を発するように構成された１つ又は複数の第３のＬＥＤ１２１６を含む。有益には、第１のＬＥＤ１２１２、第２のＬＥＤ１２１４、及び第３のＬＥＤ１２１６は、第１の光、第２の光、及び第３の光の相対比率をＬＥＤベース光源１２００によって生成される白色光の色温度が異なるように調節することができる様に個々に指定可能又は制御可能である。有益には、第１のＬＥＤ１２１２及び第３のＬＥＤ１２１６は、例えば青色ＬＥＤ等の同じ色のＬＥＤでも良く、第１の色は、第３の色と同じでも良い。第２のＬＥＤ１２１４は、赤色又は赤橙色ＬＥＤで良い。
【００８７】
[0092]  カバー１２５０は、光変換材料１２３０が第１のＬＥＤ１２１２からの第１の光のみをライム色光へと変換するように第１のＬＥＤ１２１２の上部にのみ配置される。光変換材料１２３０は、カバー部材１２５０上にコーティングされた半透明リモート蛍光体又はリン材料を含んでも良い。
【００８８】
[0093]  混合チャンバ１２２０は、カバー１２５０から出力されたライム色を有する変換された第１の光を受け取るように、第２のＬＥＤ１２１４からの第２の光を受け取るように、並びに第３のＬＥＤ１２１６からの第３の光を受け取るように、第１の光、第２の光、及び第３の光を混合するように、並びに出射窓１２４０から混合光を出力するように構成される。混合チャンバ１２２０以外に、他のタイプの混合デバイスが用いられても良い。
【００８９】
[0094]  上記の構造の結果、ＬＥＤベース光源１２００は、３つの個々に指定可能な色：ライム色、青色及び赤色又は赤橙色を提供することができ、これらの各々の相対レベルは、ＬＥＤベース光源１２００に所望の強度及び色温度を有する白色光を放たせるように調整することができる。
【００９０】
[0095]  幾つかの発明実施形態を本明細書に説明し例示したが、当業者であれば、本明細書にて説明した機能を実行するための、並びに／又は、本明細書にて説明した結果及び／若しくは１つ以上の利点を得るための様々な他の手段及び／若しくは構造体を容易に想到できよう。また、このような変更及び／又は改良の各々は、本明細書に説明される発明実施形態の範囲内であるとみなす。より一般的には、当業者であれば、本明細書にて説明されるすべてのパラメータ、寸法、材料、及び構成は例示のためであり、実際のパラメータ、寸法、材料、及び／又は構成は、発明教示内容が用いられる１つ以上の特定用途に依存することを容易に理解できよう。当業者であれば、本明細書にて説明した特定の発明実施形態の多くの等価物を、単に所定の実験を用いて認識又は確認できよう。したがって、上記実施形態は、ほんの一例として提示されたものであり、添付の請求項及びその等価物の範囲内であり、発明実施形態は、具体的に説明された又はクレームされた以外に実施可能であることを理解されるべきである。本開示の発明実施形態は、本明細書にて説明される個々の特徴、システム、品物、材料、キット、及び／又は方法に関する。さらに、２つ以上のこのような特徴、システム、品物、材料、キット、及び／又は方法の任意の組み合わせも、当該特徴、システム、品物、材料、キット、及び／又は方法が相互に矛盾していなければ、本開示の本発明の範囲内に含まれる。
【００９１】
[0096]  本明細書にて定義されかつ用いられた定義はすべて、辞書の定義、参照することにより組み込まれた文献における定義、及び／又は、定義された用語の通常の意味に優先されて理解されるべきである。
【００９２】
[0097]  本明細書及び特許請求の範囲にて使用される「ａ」及び「ａｎ」の不定冠詞は、特に明記されない限り、「少なくとも１つ」を意味するものと理解されるべきである。
【００９３】
[0098]  本明細書及び特許請求の範囲に用いられるように、１つ以上の要素を含むリストを参照した際の「少なくとも１つ」との表現は、要素のリストにおける任意の１つ以上の要素から選択された少なくとも１つの要素を意味すると理解すべきであるが、要素のリストに具体的に列挙された各要素の少なくとも１つを必ずしも含むわけではなく、要素のリストにおける要素の任意の組み合わせを排除するものではない。この定義は、「少なくとも１つの」との表現が指す要素のリストの中で具体的に特定された要素以外の要素が、それが具体的に特定された要素に関係していても関連していなくても、任意選択的に存在してもよいことを可能にする。
【００９４】
[0099]  さらに、特に明記されない限り、本明細書に記載された２つ以上のステップ又は動作を含むどの方法においても、当該方法のステップ又は動作の順番は、記載された方法のステップ又は動作の順序に必ずしも限定されないことを理解すべきである。
【００９５】
[0100]  請求項において、括弧内に登場する任意の参照符号は、便宜上、提供されているに過ぎず、当該請求項をいかようにも限定することを意図していない。
【図１】
2015528187.tif 000008
【図３】
2015528187.tif 000009
【図６】
2015528187.tif 000010
【図１０】
2015528187.tif 000011
【図１２】
2015528187.tif 000012
【図２】
2015528187.tif 000013
【図４】
2015528187.tif 000014
【図５】
2015528187.tif 000015
【図７】
2015528187.tif 000016
【図８】
2015528187.tif 000017
【図９】
2015528187.tif 000018
【図１１】
2015528187.tif 000019
【国際調査報告】
2015528187.tif 000020
2015528187.tif 000021
2015528187.tif 000022